(57)【特許請求の範囲】
【請求項１】
作動ガスにより内部が加圧されることで、内部に溜められる推進薬を、エンジンへ向けて排出可能な宇宙航行体用の推進薬タンクであって、
液相状態の前記推進薬を、内部に溜めるタンク本体と、
前記タンク本体の内部に設けられ、前記タンク本体の内壁と所定の隙間を空けて配置されると共に、前記タンク本体の内部が微小重力状態または無重力状態において、液相状態の前記推進薬を内部に保持可能な保持収容部と、
前記保持収容部の内部において、前記推進薬の排出側に設けられ、液相状態の前記推進薬を内部に保持可能なリザーバ収容部と、を備え、
前記保持収容部及び前記リザーバ収容部は、メッシュを有する網材を用いて構成され、  前記リザーバ収容部には、前記リザーバ収容部の内部で気相となった前記推進薬を排出するためのリリーフ弁が設けられ、
前記保持収容部は、前記作動ガスによる加圧時において、液相状態の前記推進薬を前記リザーバ収容部へ通過させることを特徴とする宇宙航行体用の推進薬タンク。
【請求項２】
前記保持収容部は、液相状態の前記推進薬の表面張力が作用可能な材料を用いて構成されることを特徴とする請求項１に記載の宇宙航行体用の推進薬タンク。
【請求項３】
前記網材は、金網であることを特徴とする請求項１または２に記載の宇宙航行体用の推進薬タンク。
【請求項４】
前記網材は、ポリテトラフルオロエチレンを用いて構成されるネットであることを特徴とする請求項１または２に記載の宇宙航行体用の推進薬タンク。
【請求項５】
前記タンク本体の内壁と前記保持収容部とを連結する連結部材を、さらに備え、
前記連結部材は、低伝熱材料を用いて構成されることを特徴とする請求項１から４のいずれか１項に記載の宇宙航行体用の推進薬タンク。
【請求項６】
液相状態の推進薬を、内部に溜めるタンク本体と、前記タンク本体の内部に設けられ、前記タンク本体の内壁と所定の隙間を空けて配置されると共に、前記タンク本体の内部が微小重力状態または無重力状態において、液相状態の前記推進薬を内部に保持可能な保持収容部と、前記保持収容部の内部において、前記推進薬の排出側に設けられ、液相状態の前記推進薬を内部に保持可能なリザーバ収容部と、を有する推進薬タンクと、
前記推進薬を排出すべく、前記推進薬タンクの内部を加圧する作動ガスを供給する気蓄器と、を備え、
前記保持収容部及び前記リザーバ収容部は、メッシュを有する網材を用いて構成され、  前記リザーバ収容部には、前記リザーバ収容部の内部で気相となった前記推進薬を排出するためのリリーフ弁が設けられ、
前記保持収容部は、前記作動ガスによる加圧時において、液相状態の前記推進薬を前記リザーバ収容部へ通過させることを特徴とする宇宙航行体。
【発明の詳細な説明】
【技術分野】
【０００１】
本発明は、液相の推進薬を溜める宇宙航行体用の推進薬タンク及び宇宙航行体に関するものである。
【背景技術】
【０００２】
従来、ロケット上段に設けられ、燃料を貯蔵するタンクが知られている（例えば、特許文献１参照）。このタンクには、ガス供給および取り出し装置が設けられており、タンク内にガスを供給することで、タンク内の燃料を取り出している。
【０００３】
また、無重力または微小重力環境に配置され、人工衛星のスラスタの推薬を収容する推薬タンクが知られている（例えば、特許文献２参照）。この推薬タンクは、タンク本体と、タンク本体の内壁面の円周方向に沿って推薬を旋回させるように流入させる推薬供給管とを備えている。このため、推薬タンクは、タンク内壁面側が液相、タンク中心側が蒸気相となるように気液分離を行うことができる。
【先行技術文献】
【特許文献】
【０００４】
【特許文献１】特開２００８−１８９３０４号公報
【特許文献２】特許第４６６０９６６号公報
【発明の概要】
【発明が解決しようとする課題】
【０００５】
ところで、宇宙空間において、タンクには、太陽からの輻射入熱が与えられる。このため、タンクの内部に溜められた液体水素または液体酸素等の液相の推進薬が、タンクの内壁に接触すると蒸発してしまう。ここで、ロケットエンジンには、液相の状態で、推進薬を供給しなければならないことから、推進薬が蒸発してしまうと、ロケットエンジンにおいて使用可能な推進薬が減ってしまうことになる。特に、宇宙航行体の宇宙空間内の航行期間が長くなる場合には、蒸発する推進薬の量が多くなってしまうと、推進薬を用いた所定のミッションの実行が困難となってしまう。
【０００６】
そこで、本発明は、推進薬タンクに溜められる液相の推進薬の蒸発を抑制することができる宇宙航行体用の推進薬タンク及び宇宙航行体を提供することを課題とする。
【課題を解決するための手段】
【０００７】
本発明の宇宙航行体用の推進薬タンクは、作動ガスにより内部が加圧されることで、内部に溜められる推進薬を、エンジンへ向けて排出可能な宇宙航行体用の推進薬タンクであって、液相状態の前記推進薬を、内部に溜めるタンク本体と、前記タンク本体の内部に設けられ、前記タンク本体の内壁と所定の隙間を空けて配置されると共に、前記タンク本体の内部が微小重力状態または無重力状態において、液相状態の前記推進薬を内部に保持可能な保持収容部と、を備えることを特徴とする。
【０００８】
また、本発明の宇宙航行体は、液相状態の推進薬を、内部に溜めるタンク本体と、前記タンク本体の内部に設けられ、前記タンク本体の内壁と所定の隙間を空けて配置されると共に、前記タンク本体の内部が微小重力状態または無重力状態において、液相状態の前記推進薬を内部に保持可能な収容部と、を有する推進薬タンクと、前記推進薬を排出すべく、前記推進薬タンクの内部を加圧する作動ガスを供給する気蓄器と、を備えることを特徴とする。
【０００９】
この構成によれば、宇宙航行体が宇宙空間において航行する場合、タンク本体の内部が微小重力状態または無重力状態において、浮遊する液相の推進薬を保持収容部の内部に保持することができる。このとき、タンク本体の内壁と保持収容部との間には隙間が形成されるため、液相の推進薬が、タンク本体の内壁に接触して、蒸発することを抑制することができる。これにより、液相の推進薬の蒸発を抑制することができるため、使用可能な推進薬が減少してしまうことを抑制することができ、推進薬を効率良く使用することができる。
【００１０】
また、前記保持収容部は、前記作動ガスによる加圧時において、液相状態の前記推進薬を通過させることができる。
【００１１】
この構成によれば、推進薬をエンジンへ向けて排出する場合、作動ガスによりタンク本体の内部を加圧することで、保持収容部の内部に収容された推進薬を、保持収容部を通過させてタンク本体の外部へ排出させることができる。これにより、推進薬の使用時において、保持収容部の内部に収容された推進薬を、エンジンへ向けて好適に供給することができる。
【００１２】
また、前記保持収容部は、液相状態の前記推進薬の表面張力が作用可能な材料を用いて構成されることが好ましい。
【００１３】
この構成によれば、液相の推進薬を、表面張力により保持収容部の内部に保持することができる。このため、作動ガスの非加圧時において、保持収容部の内部に液相の推進薬を保持する一方で、作動ガスの加圧時において、保持収容部の内部から液相の推進薬を外部へ排出することができる。なお、液相状態の推進薬の表面張力が作用可能な材料としては、例えば、メッシュを有する網材、または多孔のシート材等がある。
【００１４】
また、前記保持収容部は、メッシュを有する網材を用いて構成されることが好ましい。
【００１５】
この構成によれば、網材を用いて保持収容部を構成することができるため、網材のメッシュ数などにより、表面張力を容易に設定することが可能となる。なお、保持収容部は、少なくとも一部がメッシュを有する網材であればよい。つまり、保持収容部は、一部が網材であってもよいし、全部が網材であってもよい。また、保持収容部は、そのメッシュ数が均一であってもよいし、不均一であってもよい。
【００１６】
また、前記網材は、金網であることが好ましい。
【００１７】
この構成によれば、網材を金網で構成することができるため、推進薬として、極低温の液体酸素、または極低温の液体水素を用いた場合であっても、推進薬に対する耐性を有する保持収容部にすることができる。
【００１８】
また、前記網材は、ポリテトラフルオロエチレンを用いて構成されるネットであることが好ましい。
【００１９】
この構成によれば、網材をポリテトラフルオロエチレンを用いたネット（ＰＴＦＥネット）で構成することができるため、推進薬として、極低温の液体酸素、または極低温の液体水素を用いた場合であっても、推進薬に対する耐性を有する保持収容部にすることができる。また、ＰＴＦＥネットは、金網に比して軽量であるため、保持収容部の軽量化を図ることができ、保持収容部を設けることによる宇宙航行体の重量の増大を抑制することができる。
【００２０】
また、前記タンク本体の内壁と前記保持収容部とを連結する連結部材をさらに備え、前記連結部材は、低伝熱材料を用いて構成されることが好ましい。
【００２１】
この構成によれば、連結部材により、保持収容部とタンク本体の内壁との間に隙間を形成しつつ、タンク本体の内壁に保持収容部を固定することができる。このとき、連結部材を、低伝熱材料を用いて構成することができるため、タンク本体の熱を保持収容部に伝え難くすることができるため、液相の推進薬の蒸発をより抑制することができる。なお、低伝熱材料としては、例えば、繊維強化プラスチックであり、タンク本体を構成する材料よりも伝熱性が低いものであればよい。
【００２２】
また、前記保持収容部の内部において、前記推進薬の排出側に設けられ、液相状態の前記推進薬を内部に保持可能なリザーバ収容部を、さらに備えることが好ましい。
【００２３】
この構成によれば、液相の推進薬をリザーバ収容部の内部に保持することができるため、保持収容部内の推進薬の排出側に、液相の推進薬を保持することができる。このため、エンジンの着火時および着火初期の加速度が印加される前の段階において、気相の推進薬のエンジンへの流入を抑制しつつ、液相の推進薬をエンジンに好適に供給することができる。これにより、エンジンでは、推進薬を好適に燃焼させることができる。
【００２４】
また、前記リザーバ収容部には、前記リザーバ収容部の内部で気相となった前記推進薬を排出するリリーフ弁が設けられていることが好ましい。
【００２５】
この構成によれば、リザーバ収容部の内部において推進薬が気相となった場合であっても、リリーフ弁を介して気相の推進薬をリザーバ収容部から排出することができる。このため、気相の推進薬がエンジンへ供給されることを抑制することができる。
【図面の簡単な説明】
【００２６】
【図１】図１は、本実施例に係る宇宙航行体としてのロケットの一部を模式的に表した概略構成図である。
【図２】図２は、燃料タンク及び酸化剤タンクの内部を模式的に表した概略構成図である。
【発明を実施するための形態】
【００２７】
以下に、本発明に係る実施例を図面に基づいて詳細に説明する。なお、この実施例によりこの発明が限定されるものではない。また、下記実施例における構成要素には、当業者が置換可能かつ容易なもの、あるいは実質的に同一のものが含まれる。
【実施例】
【００２８】
図１は、本実施例に係る宇宙航行体としてのロケットの一部を模式的に表した概略構成図であり、図２は、燃料タンク及び酸化剤タンクの内部を模式的に表した概略構成図である。本実施例の推進薬タンクは、宇宙航行体で使用される推進薬を溜めるタンクであり、推進薬としては、例えば、燃料としての液体水素（ＬＨ２）及び酸化剤としての液体酸素（ＬＯ２）が適用される。つまり、推進薬タンクは、液体水素を溜める燃料タンク６、及び液体酸素を溜める酸化剤タンク７に適用される。ここで、宇宙航行体としては、ロケット等の飛翔体、人工衛星または宇宙基地等があるが、本実施例では、ロケット１に適用して説明する。先ず、図１を参照して、燃料タンク６及び酸化剤タンク７が設けられるロケット１について説明する。
【００２９】
図１に示すように、ロケット１は、フレーム５と、フレーム５の一方側（図示上側）に支持される燃料タンク６と、フレーム５の他方側（図示下側）に支持される酸化剤タンク７と、燃料を燃焼させて推進力を発生させるロケットエンジン８と、気蓄器９とを備えている。
【００３０】
フレーム５は、トラス構造となっており、燃料タンク６と酸化剤タンク７との間に設けられている。そして、フレーム５は、その一方側が燃料タンク６に固定され、その他方側が酸化剤タンク７に固定されており、燃料タンク６と酸化剤タンク７とを支持している。
【００３１】
燃料タンク６は、例えば、燃料として極低温の液体水素を溜める液体水素タンクとなっている。燃料タンク６は、気蓄器９から作動ガスが供給されて内部が加圧されることで、ロケットエンジン８へ向けて液体水素を供給可能となっている。
【００３２】
酸化剤タンク７は、例えば、酸化剤として極低温の液体酸素を溜める液体酸素タンクとなっている。酸化剤タンク７は、気蓄器９から作動ガスが供給されて内部が加圧されることで、ロケットエンジン８へ向けて液体酸素を供給可能となっている。この酸化剤タンク７は、フレーム５を挟んで、燃料タンク６に対向して配置されている。
【００３３】
ロケットエンジン８は、酸化剤タンク７の下方側、つまり、酸化剤タンク７を挟んで、燃料タンク６の反対側に設けられている。ロケットエンジン８は、燃料タンク６から供給された液体水素及び酸化剤タンク７から供給された液体酸素を混合して燃焼させることで、推進力を発生させる。このように、ロケットエンジン８は、液相状態の燃料および酸化剤を用いて、推進力を発生させている。
【００３４】
気蓄器９は、内部が中空となる球状に形成されており、燃料タンク６及び酸化剤タンク７の内部を加圧するための作動ガスを蓄圧している。気蓄機９は、酸化剤タンク７の下方側に配置されると共に、酸化剤タンク７の外周側に配置されている。
【００３５】
このように、宇宙空間を航行するロケット１は、ロケットエンジン８を燃焼させる場合、気蓄器９から燃料タンク６及び酸化剤タンク７へ向けて作動ガスが適宜供給される。作動ガスが燃料タンク６に供給されると、作動ガスにより燃料タンク６の内部が加圧され、燃料タンク６の内部に溜まった液体水素がロケットエンジン８へ向けて供給される。同様に、作動ガスが酸化剤タンク７に供給されると、作動ガスにより酸化剤タンク７の内部が加圧され、酸化剤タンク７の内部に溜まった液体酸素がロケットエンジン８へ向けて供給される。そして、ロケットエンジン８に供給された液体水素及び液体酸素は、ロケットエンジン８において混合され燃焼が行われることで、ロケット１に推進力が与えられる。なお、推進力が与えられたロケット１において、燃料タンク６に溜められた液体水素は、推進力（加速）によって、燃料タンク６の底部側（他方側）に溜まる。同様に、酸化剤タンク７に溜められた液体酸素は、推進力（加速）によって、酸化剤タンク７の底部側（他方側）に溜まる。
【００３６】
一方で、宇宙空間を航行するロケット１は、ロケットエンジン８を燃焼させない場合、つまり、作動ガスにより燃料タンク６及び酸化剤タンクの内部が加圧されない場合、ロケットエンジン８による推進力が与えられない。このため、燃料タンク６及び酸化剤タンク７の内部は、微小重力状態または無重力状態となる。なお、微小重力状態は、ロケット１に設けられるスラスタ等によって与えられる推進力により発生させることができる。微小重力状態または無重力状態において、燃料タンク６に溜められた液体水素は、燃料タンク６の内部において浮遊する。同様に、酸化剤タンク７に溜められた液体酸素は、酸化剤タンク７の内部において浮遊する。
【００３７】
ここで、宇宙空間を航行するロケット１には、太陽からの輻射入熱が与えられる。このため、燃料タンク６及び酸化剤タンク７等のタンクは、輻射入熱により温められる。このとき、燃料タンク６及び酸化剤タンク７等のタンクにおいて、液体水素及び液体酸素等の液相の推進薬が浮遊すると、浮遊した推進薬は、タンク内壁に接触して蒸発してしまう。このため、燃料タンク６及び酸化剤タンク７の内部は、図２に示す構成となっている。なお、以下では、燃料タンク６に適用して説明するが、酸化剤タンク７でも適用可能となっている。
【００３８】
図２に示すように、燃料タンク６は、タンク本体１１と、タンク本体１１の内部に設けられる保持収容部１２と、保持収容部１２の内部に設けられるリザーバ収容部１３と、タンク本体１１と保持収容部１２との間に設けられるスペーサ（連結部材）１４とを有している。
【００３９】
タンク本体１１は、円筒形状に形成されている。タンク本体１１には、その内壁にスペーサ１４を介して保持収容部１２を固定するためのリブ部１１ａが複数形成されている。また、タンク本体１１には、液体水素を排出するための図示しない排出口と、気蓄器９から供給される作動ガスを流入させるための図示しないガス加圧口とが形成されている。
【００４０】
保持収容部１２は、タンク本体１１の内部に設けられ、タンク本体１１の内壁と所定の隙間を空けて配置されている。このため、保持収容部１２は、タンク本体１１よりも一回り小さい袋状の収容体となっている。この保持収容部１２は、スペーサ１４を介して、タンク本体１１の内部に連結されることで固定される。
【００４１】
保持収容部１２は、メッシュを有する金網を用いて構成されている。金網は、極低温の液体水素に耐性を有するものである。この金網は、タンク本体１１の内部が微小重力状態または無重力状態において、液体水素を内部に保持する一方で、タンク本体１１の内部がロケットエンジン８の燃焼による推進力（重力）の付与時において、液体水素を通過する機能を有するものとなっている。また、この金網は、作動ガスによる非加圧時において、液体水素を内部に保持する一方で、作動ガスによる加圧時において、液体水素を通過する機能を有するものとなっている。なお、金網のメッシュは、使用する推進薬、外乱、または微小重力状態の条件等によって好適なメッシュに設定される。ここで、金網のメッシュの好適な一例としては、４００メッシュ以上である。
【００４２】
このように構成される金網は、液体水素の表面張力が作用可能な構成となる。つまり、保持収容部１２は、作動ガスによる圧力がない場合、作動ガスによる圧力が液体水素の表面張力よりも小さい場合、またはロケット１の推進力が表面張力よりも小さい場合、液体水素の通過を抑制して、液体水素を内部に保持可能となる。一方で、保持収容部１２は、作動ガスの圧力が液体水素の表面張力よりも大きい場合、またはロケット１の推進力が表面張力よりも大きい場合、液体水素の通過を許容して、液体水素を外部へ流出可能となる。
【００４３】
また、保持収容部１２は、全体に亘って均一なメッシュ数になっている。このとき、保持収容部１２は、液体水素の表面張力が作用可能な構成としつつ、その重量が軽くなるような金網を用いている。つまり、保持収容部１２は、全体に亘って均一なメッシュ数とすることで、全体に亘って軽量な金網を用いることができるため、重量の増大を抑制することができる。
【００４４】
スペーサ１４は、タンク本体１１の内壁と保持収容部１２とを連結するものであり、複数個所に設けられている。スペーサ１４は、低伝熱材料を用いて構成されており、低伝熱材料としては、例えば、繊維強化プラスチック（ＦＲＰ：Fiber Reinforced Plastics）が用いられる。なお、低伝熱材料に限らず、チタン合金等を用いてもよい。このスペーサ１４は、一方がタンク本体１１の内壁に形成されるリブ部１１ａに連結され、他方が保持収容部１２の外面に連結される。また、このスペーサ１４が設けられることで、タンク本体１１の内壁と保持収容部１２との間は、所定の隙間が維持される。
【００４５】
リザーバ収容部１３は、保持収容部１２の内部に設けられ、液体水素を排出する排出口側（図示下側）に設けられている。リザーバ収容部１３は、例えば、円筒形となる袋状の収容体となっており、保持収容部１２の内面に接して取り付けられている。
【００４６】
リザーバ収容部１３も、保持収容部１２と同様に、メッシュを有する金網を用いて構成されている。つまり、リザーバ収容部１３の金網は、作動ガスによる非加圧時において、液体水素を内部に保持する一方で、作動ガスによる加圧時において、液体水素を通過する機能を有するものとなっている。なお、リザーバ収容部１３で用いられる金網は、保持収容部１２で用いられる金網と同様のものであってもよいし、異なるものであってもよい。
【００４７】
このリザーバ収容部１３には、保持収容部１２が接する部位とは反対側の部位に、リリーフ弁１５が設けられている。リリーフ弁１５は、リザーバ収容部１３の内部で発生した気相状態の水素を排出するためのバルブである。リリーフ弁１５は、リザーバ収容部１３の内部が所定圧力以上になると開弁する一方で、リザーバ収容部１３の内部が所定圧力よりも小さいと閉弁する。
【００４８】
宇宙空間を航行するロケット１において、燃料タンク６の内部が微小重力状態または無重力状態であり、作動ガスにより加圧されない場合、燃料タンク６の保持収容部１２の内部に浮遊する液体水素は、表面張力によって保持収容部１２の通過が抑制される。このため、液体水素は、保持収容部１２の内部に保持される。同様に、燃料タンク６のリザーバ収容部１３の内部に浮遊する液体水素は、表面張力によってリザーバ収容部１３の通過が抑制される。
【００４９】
一方で、宇宙空間を航行するロケット１において、燃料タンク６の内部が微小重力状態または無重力状態であっても、作動ガスにより加圧される場合、燃料タンク６の保持収容部１２の内部に浮遊する液体水素は、作動ガスの圧力によって保持収容部１２を通過する。このため、液体水素は、保持収容部１２を通過して、排出口へ向けて流れる。同様に、燃料タンク６のリザーバ収容部１３の内部に浮遊する液体水素は、作動ガスの圧力によってリザーバ収容部１３を通過し、排出口へ向けて流れる。
【００５０】
続いて、保持収容部１２及びリザーバ収容部１３で使用される金網の選定方法について説明する。地上において、金網を選定するための実験を行う場合、取り扱いが容易な液体窒素（ＬＮ２）が用いられる。このとき、液体窒素と液体水素及び液体酸素とは、その表面張力が異なっている。このため、液体窒素で得られた試験結果に対して、液体水素及び液体酸素の表面張力の差異または温度等を考慮して補正を行うことにより、液体水素及び液体酸素に適したメッシュ数及び線径となる金網を選定することが可能となる。
【００５１】
以上のように、本実施例の構成によれば、ロケット１が宇宙空間において航行する場合、タンク本体１１の内部が微小重力状態または無重力状態において、浮遊する液相の推進薬を保持収容部１２の内部に保持することができる。このとき、タンク本体１１の内壁と保持収容部１２との間には隙間が形成されるため、液相の推進薬が、タンク本体１１の内壁に接触して、蒸発することを抑制することができる。これにより、液相の推進薬の蒸発を抑制することができるため、使用可能な推進薬が減少してしまうことを抑制することができ、推進薬を効率良く使用することができる。
【００５２】
また、本実施例の構成によれば、推進薬をロケットエンジン８へ向けて排出する場合、作動ガスによりタンク本体１１の内部を加圧することで、保持収容部１２の内部に収容された推進薬を、保持収容部１２を通過させてタンク本体１１の外部へ排出させることができる。これにより、推進薬の使用時において、保持収容部１２の内部に収容された推進薬を、ロケットエンジン８へ向けて好適に供給することができる。
【００５３】
また、本実施例の構成によれば、液相の推進薬を、表面張力により保持収容部１２の内部に保持することができる。このため、タンク本体１１の内部が微小重力状態または無重力状態において、作動ガスの非加圧時に、保持収容部１２の内部に液相の推進薬を保持する一方で、作動ガスの加圧時に、保持収容部１２の内部から液相の推進薬を外部へ排出することができる。
【００５４】
また、本実施例の構成によれば、メッシュを有する金網を用いて保持収容部１２を構成することができるため、金網のメッシュ数などにより、表面張力を容易に設定することが可能となる。また、金網を用いて保持収容部１２を構成することができるため、推進薬として、極低温の液体酸素、または極低温の液体水素を用いた場合であっても、保持収容部１２を、推進薬に対する耐性を有する構成にすることができる。
【００５５】
また、本実施例の構成によれば、スペーサ１４により、保持収容部１２とタンク本体１１の内壁との間に隙間を形成しつつ、タンク本体１１の内壁に保持収容部１２を固定することができる。このとき、スペーサ１４を、低伝熱材料を用いて構成することができるため、タンク本体１１の熱を保持収容部１２に伝え難くすることができるため、液相の推進薬の蒸発をより抑制することができる。
【００５６】
また、本実施例の構成によれば、液相の推進薬をリザーバ収容部１３の内部に保持することができるため、保持収容部１２内の推進薬の排出側に、液相の推進薬を保持することができる。このため、ロケットエンジン８の着火時および着火初期の加速度（推進力）が印加される前の段階において、作動ガスによりタンク本体１１の内部が加圧された場合、気相の推進薬のロケットエンジン８への流入を抑制しつつ、液相の推進薬をロケットエンジン８に好適に供給することができる。これにより、ロケットエンジン８では、推進薬を好適に燃焼させることができる。
【００５７】
また、本実施例の構成によれば、リザーバ収容部１３の内部において推進薬が気相となった場合であっても、リリーフ弁１５を介して気相の推進薬をリザーバ収容部１３から排出することができる。このため、気相の推進薬がロケットエンジン８へ供給されることを抑制することができる。
【００５８】
なお、本実施例では、金網を用いて保持収容部１２及びリザーバ収容部１３を構成したが、この構成に限らない、金網に代えて、ポリテトラフルオロエチレンを用いて構成されるネット（ＰＴＦＥネット）により保持収容部１２及びリザーバ収容部１３を構成してもよい。また、金網及びＰＴＦＥネット等の網材に限らず、液相状態の推進薬の表面張力が作用可能な材料であればいずれであってもよく、例えば、多孔のシート材を用いてもよい。
【００５９】
また、本実施例において、保持収容部１２は、少なくとも一部がメッシュを有する金網であればよく、一部が金網であってもよいし、全部が金網であってもよい。また、保持収容部１２は、そのメッシュ数が均一であってもよいし、不均一であってもよい。
【符号の説明】
【００６０】
１  ロケット
５  フレーム
６  燃料タンク
７  酸化剤タンク
８  ロケットエンジン
９  気蓄器
１１  タンク本体
１１ａ  リブ部
１２  保持収容部
１３  リザーバ収容部
１４  スペーサ
１５  リリーフ弁
【図１】
0006590502.tif 000002
【図２】
0006590502.tif 000003